【事件の表示】
　平成１０年特許願第２１２９９５号「ディスク駆動装置」拒絶査定不服審判事件〔平成１２年　２月１８日出願公開、特開２０００−　５０５６８〕について、次のとおり審決する。
【結　論】
　本件審判の請求は、成り立たない。
【理　由】
１．手続きの経緯・本願発明
　本願は、平成１０年７月２８日の出願であって、その請求項１に係る発明（以下、「本願発明」という。）は、平成１８年６月１６日付の手続補正書によって補正された明細書および図面の記載からみて、本願の特許請求の範囲の請求項１に記載された次の事項により特定されるとおりのものと認める。
　
　「固定部材に立設された固定シャフトと、
該固定シャフトに対して同心状に配置されたステータと、
記録ディスクの中心孔に嵌装されて記録ディスクを保持するディスク保持面を有し、前記固定シャフトに軸受手段を介して回転自在に支持されたロータハブと、
該ロータハブに一体的に設けられ前記ステータの外周側に設けられたロータとを備え、
前記ロータを回転させるディスク駆動装置において、
前記固定シャフトは長手方向に基部側の第１部分と、先端部側の第２部分とを有し、
前記ステータおよび前記ロータは前記固定シャフトの第１部分側に設けられ、
前記ロータハブは外周面側に前記ディスク保持面を形成し、
ラジアル流体動圧軸受部とスラスト流体動圧軸受部とを備え、前記ラジアル流体動圧軸受部は、前記固定シャフトの第２部分側に設けられ、
た
の内
し、前記スラスト流体動圧軸受部は、前記固定シャフトの第２部分側に設けられ、
し、前記
前記スラスト流体動圧軸受部は前記ラジアル流体動圧軸受部の軸方向両端部に配置され、前記ラジアル流体動圧軸受部が形成される径方向の間隙を径方向軸受間隙とし、前記スラスト流体動圧軸受が形成される軸方向の間隙を軸方向軸受間隙とすると、前記径方向軸受間隙と前記軸方向軸受間隙とは互いに隣り合って連続していることを特徴とするディスク駆動装置。」
　
２．引用刊行物記載の発明
（２−１）これに対して、当審における、平成１８年３月２４日付で通知した拒絶の理由に引用した特開平３−１５９５５２号公報（平成３年７月９日公開、以下「引用例１」という。）には、「スピンドルモータ」に関する発明が開示されており、そこには、図面とともに次の事項が記載されている。
　
・「本発明は上述の点に鑑みてなされたもので、上記問題点を除去し、軸受に流体動圧軸受を用い、高回転性能が良く、モータが使用される姿勢に関係なく回転時の振動が少ない、高記録容量用ＨＤＤとして好適なスピンドルモータを提供することにある。」（第（３）頁右下欄第１３行から第１８行）
　
・「第１図は本発明に係るスピンドルモータの構造を示す断面図である。同図において、１は取付基台であり、該取付基台１の中央部には支持軸２が立設されており、該支持軸２の外周には同心円状のラジアル軸受４を構成する固定側部材４ａが固定されている。６はモータ回転部であり、該モータ回転部６の中央部に支持軸２及びラジアル軸受４の固定側部材４ａやステータコイル群５が挿入される空洞を有するキャップ状である。また、モータ回転部６の内周面には前記ラジアル軸受４の固定側部材４ａに対向する該固定側部材４ａと対向する可動側部材４ｂが固定されている。また、モータ回転部６の上部内面にはスラスト軸受９を構成する可動側部材９ｂが固定されており、ラジアル軸受４の上部面は該スラスト軸受９の可動側部材９ｂを受ける固定側部材９ａとなっている。また、スラスト軸受９の可動側部材９ｂとモータ回転部６の上部内面との間には弾性パッド１０が設けられている。また、ラジアル軸受４の下方の支持軸２の外周には等間隔で配列された該ステータコイル群５が固定されており、モータ回転部６の下端部内周面にはステータコイル群５に対応してロータマグネット群８が固定されている。取付台１はこのロータマグネット群８に対応するようにステータコイル群５が固定されている。なお、モータ回転部６の外周部にはハードディスク等が載架できるようになっている。」（第（５）頁右上欄第１８行から同頁右下欄第４行）
　
・「ラジアル軸受４の可動側部材４ｂの対向面には第２図に示すようなヘリングボーン状の溝等の動圧力を発生させる動圧発生溝Ｃ１が形成されており、ラジアル軸受４の固定側部材４ａの上部でスラスト軸受９の可動側部材９ｂが対向する面（即ち、スラスト軸受９の固定側部材９ａの上面）は第３図に示すスパイラル溝等の動圧力を発生させる動圧発生溝Ｃ２が形成されている。
　上記構成のスピンドルモータにおいて、ステータコイル群５に順次電流が流れるとロータマグネット群８が固定されたモータ回転部６は回転を開始し、スラスト軸受９を構成する固定側部材９ａと可動側部材９ｂの間に空気による流体動圧が発生し、流体動圧スラスト軸受が形成される。
　また、ラジアル軸受４を構成する固定側部材４ａと可動側部材４ｂの間にも流体動圧が発生し、流体動圧ラジアル軸受が形成される。」（第（５）頁右下欄第９行から第（６）頁左上欄第５行）
　
・「なお、動圧発生溝はラジアル軸受４の固定側部材４ａの内周面に形成し、固定側部材４ａの外周面を平滑としてもよく、またスラスト軸受９の可動側部材９ｂの下面に形成し、固定側部材９ａの上面を平滑としてもよい。また、可動側部材４ｂを除き、モータ回転部６のラジアル軸受４の固定側部材４ａに対向する面に動圧発生溝を形成して、対向する固定側部材４ａの外周面を平滑としてもよい。同様にスラスト軸受９の可動側部材９ｂを除き、スラスト軸受９の固定側部材９ａの上面平滑とし対向するモータ回転部６の内面に動圧発生溝を形成してもよい。」（第（６）頁左上欄第１２行から同頁右上欄第３行）
　
・「第８図は本発明に係るスピンドルモータの他の構造を示す断面図である。本スピンドルモータが第７図に示すスピンドルモータに比較して相違する点は、第７図のスピンドルモータのラジアル軸受４の固定側部材４ａと支持軸２とが一体化されている点であり、他は略同一である。」（第（７）頁左下欄第１３行から第１８行）
　
これらの記載事項によると、引用例１には、
　
「取付基台に立設された支持軸と、
外周部にハードディスクが載架できるようになっており、支持軸にラジアル軸受、スラスト軸受を介して回転自在に支持されたモータ回転部と、
支持軸のラジアル軸受の下方の外周に等間隔で配列されたステータコイル群と、
モータ回転部の下端部内周面にステータコイル群に対応して設けられたロータマグネット群とを備え、
該モータ回転部を回転させるハードディスク用スピンドルモータにおいて、
支持軸の外周には同心円状のラジアル軸受を構成する固定側部材４ａが固定され、あるいは一体化されて設けられ、ラジアル軸受の固定側部材４ａの上部面はスラスト軸受の固定側部材９ａとなっており、
モータ回転部の内周面にはラジアル軸受の固定側部材４ａに対向する可動側部材４ｂが固定され、あるいは、モータ回転部のラジアル軸受の固定側部材４ａに対向する内周面がラジアル軸受の可動側部材４ｂとされ、モータ回転部の上部内面にはスラスト軸受を構成する可動側部材９ｂが固定され、あるいは、モータ回転部の上部内面がスラスト軸受を構成する可動側部材９ｂとされており
ラジアル軸受、スラスト軸受は空気による流体動圧軸受であり、
ラジアル軸受は、ラジアル軸受の固定側部材４ａと可動側部材４ｂの少なくとも一方に形成された動圧発生溝を有し、
スラスト軸受は、スラスト軸受の固定側部材９ａと可動側部材９ｂの少なくとも一方に形成された動圧発生溝を有する
ハードディスク用スピンドルモータ」の発明（以下、「引用例１記載の発明」という。）が記載されていると認められる。
　
（２−２）また、当審における、平成１８年３月２４日付で通知した拒絶の理由に引用した特開平１０−１６９６４６号公報（平成１０年６月２３日公開、以下「引用例２」という。）には、「動圧軸受装置」に関する発明が開示されており、そこには、図面とともに次の事項が記載されている。
　
・「【特許請求の範囲】
【請求項１】固定部に固定される、軸受用の円板を備え、
この円板の表面および裏面を、回転体の軸方向を支持するためのスラスト動圧軸受部とし、
前記円板の外周面を、前記回転体の半径方向を支持するためのラジアル動圧軸受部とすることを特徴とする動圧軸受装置。」
　
・「【０００１】
【発明の属する技術分野】本発明は、スピンドルモータなどのモータの軸受として使用される動圧軸受装置に関する。」
　
・「【００１６】なお、この実施の形態では、スラスト動圧軸受部１５ａ、１５ｃにスラスト溝１５ｂ、１５ｄを設け、ラジアル動圧軸受１５ｆにラジアル溝１５ｅを設けるようにしたが、これに代えて軸受されるカップ状ロータ１７の軸受される面に溝を設けるようにしても良く、または軸受部と軸受される軸受面の両方に溝を設けるようにしても良い。また、この実施の形態では、空隙２４、空隙３０に油を充填させた動圧軸受として説明したが、本発明は、空隙２４、空隙３０に油を充填させない動圧空気軸受でも良い。」
　
３．対比
　本願発明と引用例１記載の発明を対比すると、後者における「取付基台」は前者における「固定部材」に相当し、以下同様に、後者における「支持軸」は前者における「固定シャフト」に、「ステータコイル群」は「ステータ」に、「ハードディスク」は「記録ディスク」に、「モータ回転部」は「ロータハブ」に、「ロータマグネット群」は「ロータ」に、「空気による流体動圧軸受」は「空気動圧軸受」に、「ハードディスク用スピンドルモータ」は「ディスク駆動装置」に、それぞれ相当する。
　また、後者における「モータ回転部」は、外周部にハードディスクが載架できるようになっていることから、前者における「記録ディスクの中心孔に嵌装されて記録ディスクを保持するディスク保持面」に相当する部位を有しているといえる。
　また、後者における「ラジアル軸受」、「スラスト軸受」は、ともに流体動圧軸受であり、前者における「ラジアル流体動圧軸受部」、「スラスト流体動圧軸受部」に相当すると同時に、後者における両軸受からなる手段は、前者における「軸受手段」に相当する。
　また、後者においては、支持軸のラジアル軸受の下方の外周にステータコイル群が等間隔で配列されており、支持軸のラジアル軸受が設けられた部分、および、その下方のステータコイル群が設けられた部分が、それぞれ、前者における固定シャフトの「先端部側の第２部分」、および、「基部側の第１部分」に相当する。
　また、後者においては、支持軸の外周には同心円状のラジアル軸受を構成する固定側部材４ａが固定され、あるいは一体化されて設けられる一方、モータ回転部の内周面にはラジアル軸受の固定側部材４ａに対向する可動側部材４ｂが固定され、あるいは、モータ回転部のラジアル軸受の固定側部材４ａに対向する内周面がラジアル軸受の可動側部材４ｂとされて、ラジアル軸受が構成されるとともに、該ラジアル軸受は、ラジアル軸受の固定側部材４ａと可動側部材４ｂの少なくとも一方に形成された動圧発生溝を有している、即ち、可動側部材４ｂを別体として設けず、支持軸に一体化された固定側部材４ａとモータ回転部の内周面の少なくとも一方に形成された動圧発生溝を有するものも含まれているので、前者における「固定シャフトの第２部分側の外周面および、該外周面に対向した前記ロータハブの内周面の少なくとも一方に形成された動圧発生溝を有」する構成に相当する構成を有しているといえる。
　また、後者においては、支持軸に設けられたラジアル軸受の固定側部材４ａの上部面をスラスト軸受の固定側部材９ａとする一方、モータ回転部の上部内面にはスラスト軸受を構成する可動側部材９ｂが固定され、あるいは、モータ回転部の上部内面がスラスト軸受を構成する可動側部材９ｂとされるとともに、該スラスト軸受は、スラスト軸受の固定側部材９ａと可動側部材９ｂの少なくとも一方に形成された動圧発生溝を有しているので、前者における「スラスト流体動圧軸受部は、固定シャフトの第２部分側に設けられ、固定シャフトの第２部分側のスラスト面および、該スラスト面に対向するようにロータハブに固定されたスラストブッシュのスラスト面の少なくとも一方に形成された動圧発生溝を有」する構成に相当する構成を有しているといえる。
　また、後者においては、支持軸の外周には同心円状のラジアル軸受を構成する固定側部材４ａが固定され、あるいは一体化されて設けられ、ラジアル軸受の固定側部材４ａの上部面はスラスト軸受の固定側部材９ａとなっていることから、前者における「ラジアル流体動圧軸受部が形成される径方向の間隙を径方向軸受間隙とし、スラスト流体動圧軸受が形成される軸方向の間隙を軸方向軸受間隙とすると、径方向軸受間隙と軸方向軸受間隙とは互いに隣り合って連続している」構成に相当する構成を有しているといえる。
また、後者において「ラジアル軸受の固定側部材４ａの上部面はスラスト軸受の固定側部材９ａとなっている」ことと前者における「スラスト流体動圧軸受部はラジアル流体動圧軸受部の軸方向両端部に配置」されていることとは、「スラスト流体動圧軸受部はラジアル流体動圧軸受部の軸方向端部に配置」されている点で共通する。
　
　したがって、両者は、
　
「固定部材に立設された固定シャフトと、
該固定シャフトに対して同心状に配置されたステータと、
記録ディスクの中心孔に嵌装されて記録ディスクを保持するディスク保持面を有し、前記固定シャフトに軸受手段を介して回転自在に支持されたロータハブと、
該ロータハブに一体的に設けられ前記ステータの外周側に設けられたロータとを備え、
前記ロータを回転させるディスク駆動装置において、
前記固定シャフトは長手方向に基部側の第１部分と、先端部側の第２部分とを有し、
前記ステータおよび前記ロータは前記固定シャフトの第１部分側に設けられ、
前記ロータハブは外周面側に前記ディスク保持面を形成し、
前記軸受手段はラジアル流体動圧軸受部とスラスト流体動圧軸受部とを備え、
前記ラジアル流体動圧軸受部は、前記固定シャフトの第２部分側に設けられ、前記固定シャフトの第２部分側の外周面および、該外周面に対向した前記ロータハブの内周面の少なくとも一方に形成された動圧発生溝を有し、
前記スラスト流体動圧軸受部は、前記固定シャフトの第２部分側に設けられ、前記固定シャフトの第２部分側のスラスト面および、該スラスト面に対向するように前記ロータハブに固定されたスラストブッシュのスラスト面の少なくとも一方に形成された動圧発生溝を有し、
前記ラジアル流体軸受部およびスラスト流体動圧軸受部は、空気動圧軸受とされ、
前記スラスト流体動圧軸受部は前記ラジアル流体動圧軸受部の軸方向端部に配置され、前記ラジアル流体動圧軸受部が形成される径方向の間隙を径方向軸受間隙とし、前記スラスト流体動圧軸受が形成される軸方向の間隙を軸方向軸受間隙とすると、前記径方向軸受間隙と前記軸方向軸受間隙とは互いに隣り合って連続しているディスク駆動装置」である点で一致し、次の点において相違する。
　
［相違点］
　本願発明においては、「スラスト流体動圧軸受部はラジアル流体動圧軸受部の軸方向両端部に配置され」ているのに対し、引用例１記載の発明においては、「ラジアル軸受の固定側部材４ａの上部面はスラスト軸受の固定側部材９ａとなっている」点。
　
４．当審の判断
　上記相違点について検討すると、スピンドルモータの軸受において、ラジアル動圧軸受の両端部にスラスト動圧軸受を設けることは、引用例２に記載されており、引用例１記載の発明において、該構成を採用する程度のことは、当業者にとって、容易に想到しうることにすぎない。
　
　そして、本願発明の構成によってもたらされる効果も、引用例１、引用例２に記載されたものから当業者が予測し得る程度のものである。
　
５．むすび
　したがって、本願発明は、引用例１、引用例２に記載された発明に基づいて当業者が容易に発明をすることができたものであるので、特許法第２９条第２項の規定により特許を受けることができない。
　よって、結論のとおり審決する。